(57)【要約】【課題】通信機器のプロファイルの優先度の変更をユーザが操作することなく行うこと。【解決手段】保持部１０１は、通信機器との接続の確立に必要な情報を含むプロファイルであって、異なる通信機器間の検索時における優先度が設定されたプロファイルを保持し、接続先選択部１０４の選択部１０６は、保持部１０１が保持するプロファイルのうち、自装置との接続を行う通信機器のプロファイルを選択し、変更部１０７は、保持部１０１が保持するプロファイルのうち自装置との接続が可能な通信機器のプロファイルにおいて、選択部１０６で選択されたプロファイルの優先度を最も高くする。【選択図】図２
2010192993.tif 000002
【特許請求の範囲】
【請求項１】
通信機器との接続の確立に必要な情報を含むプロファイルであって、異なる通信機器間の検索時における優先度が設定された前記プロファイルを保持する保持手段と、
前記保持手段が保持する前記プロファイルのうち、自装置との前記接続を行う通信機器の前記プロファイルを選択する選択手段と、
前記保持手段が保持する前記プロファイルのうち自装置との前記接続が可能な通信機器の前記プロファイルにおいて、選択された前記プロファイルの前記優先度を最も高く変更する変更手段と、
を具備する無線通信装置。
【請求項２】
前記変更手段は、選択された前記プロファイルと、自装置との前記接続が不可能な通信機器の前記プロファイルとの間の前記優先度の関係を維持する、
請求項１記載の無線通信装置。
【請求項３】
前記変更手段は、選択された前記プロファイルの前記優先度を、選択された前記プロファイルよりも高い前記優先度が設定された、自装置との前記接続が不可能な通信機器の前記プロファイルの前記優先度よりも低くする、
請求項１記載の無線通信装置。
【請求項４】
前記変更手段は、前記保持手段が保持するすべての前記プロファイルにおいて、選択された前記プロファイルの前記優先度を最も高く変更する、
請求項１記載の無線通信装置。
【請求項５】
前記変更手段は、選択された前記プロファイルの前記優先度を、自装置との前記接続が可能な通信機器の前記プロファイルよりも低い前記優先度が設定された、自装置との前記接続が不可能な通信機器の前記プロファイルの前記優先度よりも高く変更する、
請求項１記載の無線通信装置。
【請求項６】
前記変更手段は、自装置との前記接続が可能な通信機器の前記プロファイルのうち選択された前記プロファイル以外の前記プロファイルと、自装置との前記接続が不可能な通信機器の前記プロファイルとの間の前記優先度の関係を維持する、
請求項１記載の無線通信装置。
【請求項７】
前記変更手段は、さらに、選択された前記プロファイルの前記優先度の変更後、選択された前記プロファイルに対応する通信機器との前記接続が切断された場合、選択された前記プロファイルの前記優先度を変更前の優先度に戻す、
請求項１記載の無線通信装置。
【請求項８】
変更手段は、前記切断が手動切断の場合、前記切断と同時に、選択された前記プロファイルの前記優先度を変更前の優先度に戻す、
請求項７記載の無線通信装置。
【請求項９】
変更手段は、前記切断が自動切断の場合、前記切断の時刻から予め設定された時間経過後に、選択された前記プロファイルの前記優先度を変更前の優先度に戻す、
請求項７記載の無線通信装置。
【請求項１０】
前記変更手段により、選択された前記プロファイルの前記優先度が変更された場合、前記優先度の変更を提示する提示手段を、さらに具備する、
請求項１記載の無線通信装置。
【請求項１１】
通信機器との接続の確立に必要な情報を含むプロファイルであって、異なる通信機器間の検索時における優先度が設定された前記プロファイルを保持し、
前記保持手段が保持する前記プロファイルのうち、自装置との前記接続を行う通信機器の前記プロファイルを選択し、
前記保持手段が保持する前記プロファイルのうち自装置との前記接続が可能な通信機器の前記プロファイルにおいて、選択された前記プロファイルの前記優先度を最も高く変更する、
優先度変更方法。
【発明の詳細な説明】
【技術分野】
【０００１】
本発明は、無線通信装置および優先度変更方法に関する。
【背景技術】
【０００２】
従来の無線ＬＡＮ（Wireless Local Area Network：ＷＬＡＮ）システムでは、無線通信装置が、複数のアクセスポイント（Access Point：ＡＰ）の中から通信状態のより良いＡＰを選択し接続する方法が提案されている。
【０００３】
例えば、ＷＬＡＮシステムでは、無線通信装置は、ＡＰとの通信を確立するために用いる情報を含むプロファイル（または接続プロファイル）を保持する。無線通信装置が保持するプロファイルには、例えば、個々のＡＰを識別するためのＢＳＳＩＤ（Basic Service Set Identifier）、１つまたは複数のＡＰで構成されるネットワーク（サービスエリア）を識別するためのＥＳＳＩＤ（Extended Service Set Identifier）、ＷＰＡ（Wi-Fi Protocol Access）またはＷＰＡ２等の認証方式、または、無線通信装置との接続状態（‘接続’または‘切断’）を示す情報が含まれる。そして、無線通信装置は、自装置が保持するプロファイルに対応するＡＰを検索し、接続可能なＡＰのプロファイルの中から接続先ＡＰのプロファイルを選択し、選択したプロファイルに基づいて接続を確立する。
【０００４】
また、ＡＰの検索方法の１つとして、アクティブスキャニングによる検索方法がある。アクティブスキャニングでは、無線通信装置は、例えば検索するＡＰのＢＳＳＩＤまたはＥＳＳＩＤを含む検索要求（プローブ（probe）要求）をブロードキャスト送信し、ＡＰからの検索応答（プローブ応答）を受信することにより接続可能なＡＰを検索する。そして、無線通信装置は、自装置が保持するプロファイルに対応するＡＰを順次検索する。
【０００５】
ここで、例えば、携帯電話端末またはＷＬＡＮ端末等の無線通信装置は、様々な場所へ移動して使用される頻度が高く、多くのＡＰとの通信を確立するために、多くのプロファイルを登録する必要がある。よって、無線通信装置は、上述したＡＰの検索を、自装置が保持するプロファイル数（登録されたＡＰ数）だけ実施する必要が生じ、ＡＰの検索時間が長くなってしまう。
【０００６】
そこで、ＡＰの検索時間を短縮するＡＰの検索方法として、無線通信装置が保持する複数のプロファイルに、検索時における優先度を設定する方法がある（例えば、特許文献１および特許文献２参照）。無線通信装置は、自装置が保持するプロファイルのうち、優先度がより高いプロファイルから順に、プロファイルを選択し、選択したプロファイルに対応するＡＰを検索する。これにより、無線通信装置は、優先度がより高いＡＰほどより早い時刻で接続可能か否かを判断することができる。なお、検索の優先度は、例えば、ＡＰの電波強度（信号レベル）、ＡＰの電池残量、ＡＰの使用頻度、ＡＰに設定された認証方式のセキュリティ強度、または、無線通信装置の位置等の通信評価情報に基づいて設定される。
【０００７】
また、ＡＰの検索時間をさらに短縮するために、無線通信装置は、自装置が位置する場所の状況または接続先ＡＰに応じて、無線通信装置が保持するプロファイルの優先度を変更することが検討されている（例えば、特許文献３参照）。具体的には、無線通信装置は、ＡＰ毎のプロファイルの優先度をユーザの手動操作により変更する。
【特許文献１】特開２００６−３１９９４６号公報
【特許文献２】特表２００７−５２５８９４号公報
【特許文献３】特開２００８−１６０６４６号公報
【発明の開示】
【発明が解決しようとする課題】
【０００８】
ＡＰとの接続が手動で行われる場合、無線通信装置は、自装置が保持するプロファイルの中から、操作入力により選択したプロファイルに対応するＡＰと接続する。また、上述したＡＰの検索の優先度を変更する場合には、無線通信装置は、選択した接続先ＡＰに応じて、自装置が保持するプロファイルの優先度を、操作入力により変更する。よって、無線通信装置は、接続先ＡＰの選択およびプロファイルの優先度変更の双方の操作入力を、ユーザに対して別々で要求しなければならず煩わしい。
【０００９】
本発明はかかる点に鑑みてなされたものであり、ＡＰのプロファイルの優先度の変更をユーザが操作することなく行うことができる無線通信装置および優先度変更方法を提供することを目的とする。
【課題を解決するための手段】
【００１０】
本発明の無線通信装置は、通信機器との接続の確立に必要な情報を含むプロファイルであって、異なる通信機器間の検索時における優先度が設定された前記プロファイルを保持する保持手段と、前記保持手段が保持する前記プロファイルのうち、自装置との前記接続を行う通信機器の前記プロファイルを選択する選択手段と、前記保持手段が保持する前記プロファイルのうち自装置との前記接続が可能な通信機器の前記プロファイルにおいて、選択された前記プロファイルの前記優先度を最も高く変更する変更手段と、を具備する構成を採る。
【００１１】
本発明の優先度変更方法は、通信機器との接続の確立に必要な情報を含むプロファイルであって、異なる通信機器間の検索時における優先度が設定された前記プロファイルを保持し、前記保持手段が保持する前記プロファイルのうち、自装置との前記接続を行う通信機器の前記プロファイルを選択し、前記保持手段が保持する前記プロファイルのうち自装置との前記接続が可能な通信機器の前記プロファイルにおいて、選択された前記プロファイルの前記優先度を最も高く変更するようにした。
【発明の効果】
【００１２】
本発明によれば、ＡＰのプロファイルの優先度の変更をユーザが操作することなく行うことができる。
【発明を実施するための最良の形態】
【００１３】
以下、本発明の実施の形態について、図面を参照して詳細に説明する。
【００１４】
図１に本発明の各実施の形態に係る無線通信システムの構成を示す。図１に示すように、以下の各実施の形態における無線通信システムでは、ＡＰ１およびＡＰ２により構成されるサービスエリア１（ＥＳＳＩＤ＝ｅｅｅｅ１）、および、ＡＰ３およびＡＰ４により構成されるサービスエリア２（ＥＳＳＩＤ＝ｅｅｅｅ２）が存在する。例えば、サービスエリア１はオフィスを想定し、サービスエリア２は自宅を想定する。また、図１に示すＷＬＡＮ端末（本実施の形態に係る無線通信装置）は、各ＡＰを特定するプロファイルＩＤ、各ＡＰが属するサービスエリアのＥＳＳＩＤ、ＢＳＳＩＤ、認証方式（例えば、ＷＰＡまたはＷＰＡ２）および接続状態（例えば、接続または切断）等を含むプロファイルをＡＰ１〜ＡＰ４毎に保持する。また、以下の説明では、図１に示すように、ＡＰ１のプロファイルＩＤを‘オフィス１’とし、ＡＰ２のプロファイルＩＤを‘オフィス２’とし、ＡＰ３のプロファイルＩＤを‘自宅１’とし、ＡＰ４のプロファイルＩＤを‘自宅２’とする。また、ＷＬＡＮ端末において、ＡＰ１〜ＡＰ４の間で設定されたプロファイルの優先度は、ＡＰ３（‘自宅１’）が最も高く、ＡＰ１（‘オフィス１’）がＡＰ３の次に高く、ＡＰ４（‘自宅２’）がＡＰ１の次に高く、ＡＰ２（‘オフィス２’）が最も低い。
【００１５】
（実施の形態１）
本実施の形態に係る無線通信装置１００の構成を図２に示す。図２に示す無線通信装置１００において、保持部１０１は、ＡＰとの接続の確立に必要な情報を含むプロファイルを保持する。ここでは、無線通信装置１００に登録されたＡＰのプロファイルには、プロファイルＩＤ、ＥＳＳＩＤ、ＢＳＳＩＤ、認証方式および接続状態等が含まれる。また、プロファイルには、ＡＰの検索時に用いる、異なるＡＰ（図１ではＡＰ１〜ＡＰ４）間の優先度が設定されている。また、保持部１０１は、例えば、図示しない更新部からの指示に従って、プロファイルの変更、追加、削除を行うことにより、保持するプロファイルを更新する。また、保持部１０１は、変更部１０７からの指示に従って、プロファイルの優先度を変更することにより、保持するプロファイルを更新する。
【００１６】
制御部１０２は、保持部１０１が保持するプロファイルに基づいて、接続先ＡＰの検索および接続を制御する。具体的には、まず、制御部１０２は、保持部１０１が保持するプロファイルのうち、優先度がより高いプロファイルに対応するＡＰから順に、ＡＰの検索を行うように通信部１０３に指示する。そして、制御部１０２は、通信部１０３から入力される、ＡＰの検索結果（例えば、接続可または接続不可）を示す情報を接続先選択部１０４および変更部１０７に出力する。
【００１７】
また、制御部１０２は、接続先選択部１０４から入力される、接続先ＡＰを示す接続先選択結果に従って、ＡＰとの接続を制御する。具体的には、制御部１０２は、保持部１０１が保持するプロファイルの中から、接続先選択結果に示される接続先ＡＰのプロファイルを選択する。そして、制御部１０２は、選択したプロファイルに基づいて、接続先ＡＰとの接続を行うように通信部１０３に指示する。
【００１８】
通信部１０３は、制御部１０２からの指示に従って、ＷＬＡＮプロトコルに基づくＡＰの検索および接続を行う。また、通信部１０３は、ＡＰの検索結果または接続の状態（通信状態）を示す情報を制御部１０２に出力する。
【００１９】
接続先選択部１０４は通信情報提示部１０５および選択部１０６を内部に備える。接続先選択部１０４の通信情報提示部１０５は、制御部１０２から入力される、各ＡＰの検索結果（例えば、接続可または接続不可）を示す情報を、例えばディスプレイに提示する。
【００２０】
接続先選択部１０４の選択部１０６は、通信情報提示部１０５で提示された情報に基づいて、操作入力により接続先ＡＰのプロファイルを選択する。そして、選択部１０６は、選択した接続先ＡＰのプロファイルを示す接続先選択結果を制御部１０２および変更部１０７に出力する。
【００２１】
変更部１０７は、接続先選択部１０４の選択部１０６から入力される接続先選択結果に基づいて、保持部１０１が保持するプロファイルの優先度を変更する。具体的には、変更部１０７は、接続先選択結果に示される接続先ＡＰのプロファイルの優先度を、保持部１０１が保持するプロファイルのうち自装置と接続可能なＡＰ（接続先ＡＰを含む）のプロファイルにおいて、接続先ＡＰのプロファイル（選択部１０６で選択されたプロファイル）の優先度を最も高く変更する。そして、変更部１０７は、プロファイルの優先度を変更するように保持部１０１に指示する。
【００２２】
次に、本実施の形態に係る無線通信装置１００の変更部１０７におけるプロファイルの優先度変更処理について詳細に説明する。以下、変更部１０７におけるプロファイルの優先度変更方法１〜３についてそれぞれ説明する。
【００２３】
なお、以下の変更方法１〜３では、無線通信装置１００（ＷＬＡＮ端末）の保持部１０１は、図１に示すＡＰ１（プロファイルＩＤ：‘オフィス１’）、ＡＰ２（プロファイルＩＤ：‘オフィス２’）、ＡＰ３（プロファイルＩＤ：自宅１）およびＡＰ４（プロファイルＩＤ：自宅２）のプロファイルを保持する。また、後述する図５、図７および図８において、プロファイルＩＤ：‘屋外’を含むプロファイルは、図１に示すＡＰ１〜ＡＰ４以外のどのＡＰでも検索されれば接続することを示す。つまり、無線通信装置１００は、プロファイルＩＤ：‘屋外’のプロファイルを選択した場合、検索したＡＰのＥＳＳＩＤがいずれであっても接続する。
【００２４】
また、無線通信装置１００（ＷＬＡＮ端末）は、優先度が最も高いＡＰ３（プロファイルＩＤ：自宅１）から順に、優先度が最も低い図示しないＡＰ（プロファイルＩＤ：屋外）まで、プロファイルの優先度が高い順にＡＰを検索する。また、ここでは、図１に示す無線通信システムにおいて、無線通信装置１００（ＷＬＡＮ端末）はサービスエリア１（オフィス）に位置し、サービスエリア２（自宅）を構成するＡＰ３およびＡＰ４の圏外に位置する。つまり、図５、図７および図８それぞれの左側に示すように、無線通信装置１００（ＷＬＡＮ端末）では、ＡＰ検索の結果、ＡＰ１（‘オフィス１’）およびＡＰ２（‘オフィス２’）との接続が可能となり（図５に示す接続可の欄：‘○’）、ＡＰ３（‘自宅１’）およびＡＰ４（‘自宅２’）との接続が不可能となる（図５に示す接続可の欄：空白）。
【００２５】
以下の変更方法１〜３に係る変更部１０７は、保持部１０１が保持するプロファイルのうち自装置との接続が可能なＡＰのプロファイル（選択されたＡＰを含む）において、選択部１０６で選択されたＡＰ（接続先ＡＰ）のプロファイルの優先度を最も高く変更する。
【００２６】
＜変更方法１＞
本変更方法では、変更部１０７は、選択部１０６で選択されたＡＰのプロファイルと、自装置との接続が不可能なＡＰのプロファイルとの間の優先度の関係を維持する。
【００２７】
図３は、本変更方法に係る変更部１０７におけるプロファイルの優先度変更処理の流れを示し、図４は、図３に示すＳＴ１４におけるプロファイルの優先度変更処理のより詳細な流れを示す。
【００２８】
図３においてステップ（以下、ＳＴという）１１では、変更部１０７は、選択部１０６から入力される接続先選択結果を取得する。ＳＴ１２では、変更部１０７は、制御部１０２から入力される各ＡＰの検索結果（接続可能または接続不可能）を取得する。
【００２９】
ＳＴ１３では、変更部１０７は、ＳＴ１１で取得した接続先選択結果に示される接続先ＡＰのプロファイルの優先度が、保持部１０１に保持されるプロファイルの優先度の中で最も高いか否かを判断する。
【００３０】
接続先ＡＰのプロファイルの優先度が保持部１０１に保持されるプロファイルの優先度の中で最も高い場合（ＳＴ１３：ＹＥＳ）、変更部１０７は何もしないで処理を終了させる。
【００３１】
一方、接続先ＡＰのプロファイルの優先度が保持部１０１に保持されるプロファイルの優先度の中で最も高くない場合（ＳＴ１３：ＮＯ）、ＳＴ１４では、変更部１０７は、接続先ＡＰのプロファイルの優先度を変更する。
【００３２】
次いで、図３に示すＳＴ１４におけるプロファイルの変更処理の詳細について図４を用いて説明する。なお、図４において、保持部１０１が保持するプロファイルをカウントするインデックスｉは初期化（例えば、ｉ＝１）されている（図示せず）。また、図４では、保持部１０１が保持するプロファイル（例えば、Ｎ個のプロファイル）に対して、優先度が低いプロファイルから順にそれぞれインデックス（ｉ＝１、２，３，…，Ｎ）が付されているものとする。つまり、優先度が最も低いプロファイルＰｉをｉ＝１とし、優先度が最も高いプロファイルＰｉをｉ＝Ｎとする。
【００３３】
図４において、ＳＴ２１では、変更部１０７は、図３に示すＳＴ１１で取得した接続先選択結果に示される接続先ＡＰのプロファイルＰｓ（つまり、選択部１０６で選択されたプロファイル）を取得する。ＳＴ２２では、変更部１０７は、保持部１０１が保持するプロファイルのうち、接続可能なＡＰのプロファイルにおいて優先度が最も高いプロファイルＰｈ（つまり、ｉ＝ｈ）を取得する。ＳＴ２３では、変更部１０７は、保持部１０１が保持するプロファイルのうち優先度が最も低いプロファイルＰｉ（ただし、ｉ＝１）を取得する。
【００３４】
ＳＴ２４では、変更部１０７は、ＳＴ２１で取得したプロファイル（接続先ＡＰのプロファイル）Ｐｓの優先度と、プロファイルＰｉ（ＳＴ２３またはＳＴ２８の処理で得られるプロファイル）の優先度とを比較する。プロファイルＰｉの優先度がプロファイルＰｓの優先度以下の場合（ＳＴ２４：ＮＯ）、ＳＴ２７に進む。
【００３５】
プロファイルＰｉの優先度がプロファイルＰｓの優先度より高い場合（ＳＴ２４：ＹＥＳ）、ＳＴ２５において、変更部１０７は、図３に示すＳＴ１２で取得した検索結果に基づいて、プロファイルＰｉに対応するＡＰが接続可能であるか否かを判断する。プロファイルＰｉに対応するＡＰが接続不可能である場合（ＳＴ２５：ＮＯ）、ＳＴ２７に進む。
【００３６】
プロファイルＰｉに対応するＡＰが接続可能である場合（ＳＴ２５：ＹＥＳ）、ＳＴ２６において、変更部１０７は、プロファイルＰｉの優先度を、プロファイルＰｓの優先度より低くする。換言すると、変更部１０７は、プロファイルＰｓの優先度を、プロファイルＰｉの優先度よりも高くする。
【００３７】
ＳＴ２７では、変更部１０７は、インデックスｉがｈ以下であるか否かを判断する。インデックスｉがｈ以下の場合（ＳＴ２７：ＹＳＥ）、変更部１０７は、ｉ＝ｉ＋１のようにインデックスｉをインクリメントして（ＳＴ２８）、処理をＳＴ２４に移行する。インデックスｉがｈより大きい場合（ＳＴ２７：ＮＯ）、変更部１０７は、図３に示す処理に戻り、優先度変更処理を終了する。
【００３８】
すなわち、変更部１０７は、図４に示すＳＴ２４〜ＳＴ２８の処理を繰り返すことにより、接続先ＡＰ以外で接続可能なすべてのＡＰのプロファイルＰｉの優先度を、接続先ＡＰのプロファイルＰｓの優先度よりも低くする。換言すると、変更部１０７は、接続可能なＡＰのプロファイルにおいて、接続先ＡＰのプロファイルＰｓの優先度を最も高くする。ただし、変更部１０７は、ＳＴ２５によって、選択部１０６で選択された接続先ＡＰのプロファイルＰｓの優先度を、プロファイルＰｓよりも高い優先度が設定された、自装置との接続が不可能なＡＰのプロファイルの優先度よりも低いままとする。つまり、接続先ＡＰのプロファイルＰｓと、自装置との接続が不可能なＡＰのプロファイルとの間の優先度の関係は維持される。
【００３９】
次に、変更部１０７におけるプロファイルの優先度変更処理の具体例について説明する。ここで、選択部１０６（図２）は図５左側に示すプロファイルのうち、プロファイルＩＤが‘屋外’であるＡＰを選択する。このとき、変更部１０７は、図３および図４に示す処理を行うことにより、図５右側に示すように、プロファイルの優先度を変更する。具体的には、図５右側に示すように、ＡＰ１〜ＡＰ４およびプロファイルＩＤが‘屋外’であるＡＰ（接続先ＡＰ）の間で設定されるプロファイルの優先度は、ＡＰ３（‘自宅１’）が最も高く、ＡＰ４（‘自宅２’）がＡＰ３の次に高く、ＡＰ（‘屋外’）がＡＰ４の次に高く、ＡＰ１（‘オフィス１’）がＡＰ（‘屋外’）の次に高く、ＡＰ２（‘オフィス２’）が最も低い。
【００４０】
つまり、図５右側に示すように、選択部１０６で選択されたＡＰ（‘屋外’）のプロファイルの優先度は、接続可が‘○’のＡＰ（プロファイルＩＤ：‘オフィス１’、‘オフィス２’および‘屋外’）のプロファイルの優先度の中で最も高く変更されている。また、選択部１０６で選択されたＡＰ（‘屋外’）のプロファイルの優先度は、図５左側および図５右側の双方で、接続が不可能なＡＰ（プロファイルＩＤ：‘自宅１’および‘自宅２’）の優先度よりも低い。つまり、選択部１０６で選択されたＡＰ（‘屋外’）のプロファイルと、接続が不可能なＡＰ（プロファイルＩＤ：‘自宅１’および‘自宅２’のＡＰ）との間の優先度の関係は、優先度変更処理の前後で維持されている。
【００４１】
ここで、例えば、図５左側において、ＡＰ（‘自宅１’）およびＡＰ（‘自宅２’）は、ＡＰ（‘屋外’）よりも優先度が高い。そのため、無線通信装置１００は、ＡＰ（‘自宅１’）およびＡＰ（‘自宅２’）との接続が可能であれば、ＡＰ（‘自宅１’）またはＡＰ（‘自宅２’）を選択する可能性が高い。
【００４２】
よって、本変更方法によれば、例えば、通信環境の変化により接続が不可能であったＡＰ（図５ではＡＰ（‘自宅１’）およびＡＰ（‘自宅２’））が接続可能な状態になった場合でも、無線通信装置１００は、プロファイルの優先度変更前において優先度が高かったＡＰを優先的に検索することでＡＰの検索時間を短くすることができる。
【００４３】
また、本変更方法によれば、無線通信装置１００は、接続先ＡＰを選択するのみで、保持部１０１が保持するプロファイルの優先度を自動的に変更することができる。
【００４４】
＜変更方法２＞
本変更方法では、変更部１０７は、保持部１０１が保持するすべてのプロファイルにおいて、選択部１０６で選択されたＡＰのプロファイルの優先度を最も高くする。
【００４５】
本変更方法に係る変更部１０７におけるプロファイルの優先度変更処理の流れは、図３に示す変更方法１の処理の流れと同様であるが、図３に示すＳＴ１４において図４に示す処理の代わりに、図６に示す処理を行う点が変更方法１の処理の流れと相違する。なお、図６において、図４と同一の処理には同一符号を付し説明を省略する。
【００４６】
図６において、ＳＴ３１では、変更部１０７は、ＳＴ２１で得たプロファイル（接続先ＡＰのプロファイル）Ｐｓの優先度を、保持部１０１が保持するすべてのプロファイルの優先度の最上位に変更する。
【００４７】
次に、変更部１０７におけるプロファイルの優先度変更処理の具体例について説明する。ここで、選択部１０６（図２）は、変更方法１と同様、図７左側に示すプロファイルのうち、プロファイルＩＤが‘屋外’であるＡＰを選択する。このとき、変更部１０７は、図３および図６に示す処理を行うことにより、図７右側に示すように、プロファイルの優先度を変更する。具体的には、図７右側に示すように、ＡＰ１〜ＡＰ４およびプロファイルＩＤが‘屋外’であるＡＰ（接続先ＡＰ）の間で設定されるプロファイルの優先度は、ＡＰ（‘屋外’）が最も高く、ＡＰ３（‘自宅１’）のＡＰがＡＰ（‘屋外’）の次に高く、ＡＰ１（‘オフィス１’）がＡＰ３（‘自宅１’）の次に高く、ＡＰ４（‘自宅２’）がＡＰ１の次に高く、ＡＰ２（‘オフィス２’）が最も低い。
【００４８】
図７右側に示すように、選択部１０６で選択されたＡＰ（‘屋外’）のプロファイルの優先度は、変更方法１と同様、接続可が‘○’のＡＰ（プロファイルＩＤ：‘オフィス１’、‘オフィス２’および‘屋外’）のプロファイルの優先度の中で最も高く変更されている。なお、図７右側に示すように、選択部１０６で選択されたＡＰ（‘屋外’）のプロファイルの優先度は、接続不可能なＡＰ（プロファイルＩＤ：‘自宅１’および‘自宅２’）を含む、保持部１０１が保持するすべてのプロファイルの優先度の中でも最も高く変更されている。
【００４９】
よって、本変更方法によれば、例えば、通信が不安定な環境下において、ＡＰとの接続が頻繁に切断される場合でも、無線通信装置１００は、接続先ＡＰ（図７ではＡＰ（‘屋外’））の再検索を素早く行うことができる。つまり、同一の通信環境においてＡＰを繰り返し再検索する場合には、無線通信装置１００は、選択したＡＰ（図７ではＡＰ（‘屋外’））を優先的に検索することでＡＰの検索時間を短くすることができる。
【００５０】
また、本変更方法によれば、変更方法１と同様、無線通信装置１００は、接続先ＡＰを選択するのみで、保持部１０１が保持するプロファイルの優先度を自動的に変更することができる。
【００５１】
＜変更方法３＞
本変更方法では、変更部１０７は、選択されたＡＰのプロファイルの優先度を、自装置との接続が可能なＡＰのプロファイルよりも低い優先度が設定された、自装置との接続が不可能なＡＰのプロファイルの優先度よりも高く変更する。
【００５２】
本変更方法に係る変更部１０７におけるプロファイルの優先度変更処理の流れは、図３に示す変更方法１の処理の流れと同様であるが、図３に示すＳＴ１４の処理（図４）において、ＳＴ２５の処理を行わない点のみが変更方法１の処理の流れと相違する。
【００５３】
すなわち、図４において、プロファイルＰｉの優先度がプロファイルＰｓの優先度より高い場合（ＳＴ２４：ＹＥＳ）、変更部１０７は、ＳＴ２５を行わず、ＳＴ２６において、プロファイルＰｉの優先度をプロファイルＰｓの優先度より低くする。
【００５４】
次に、変更部１０７におけるプロファイルの優先度変更処理の具体例について説明する。ここで、選択部１０６（図２）は、変更方法１と同様、図８左側に示すプロファイルのうち、プロファイルＩＤが‘屋外’のＡＰを選択する。このとき、変更部１０７は、図３および図４（ただし、ＳＴ２５は行わず）に示す処理を行うことにより、図８右側に示すように、プロファイルの優先度を変更する。具体的には、図８右側に示すように、ＡＰ１〜ＡＰ４およびプロファイルＩＤが‘屋外’であるＡＰ（接続先ＡＰ）の間で設定されるプロファイルの優先度は、ＡＰ３（‘自宅１’）が最も高く、ＡＰ（‘屋外’）がＡＰ３の次に高く、ＡＰ１（‘オフィス１’）がＡＰ（‘屋外’）の次に高く、ＡＰ４（‘自宅２’）がＡＰ１の次に高く、ＡＰ２（‘オフィス２’）が最も低い。
【００５５】
つまり、図８右側に示すように、選択部１０６で選択されたＡＰ（‘屋外’）のプロファイルの優先度は、変更方法１と同様、接続可が‘○’のＡＰ（プロファイルＩＤ：‘オフィス１’、‘オフィス２’および‘屋外’）のプロファイルの優先度の中で最も高く変更されている。
【００５６】
また、優先度変更前（図８左側）において、接続可能なＡＰのプロファイルの中で優先度が最も高いＡＰ（‘オフィス１’）は、無線通信装置１００との接続が不可能であるＡＰのうち、ＡＰ（‘自宅１’）よりも優先度が低く、ＡＰ（‘自宅２’）よりも優先度が高い。一方、優先度変更後（図８右側）において、接続可能なＡＰのプロファイルの中で優先度が最も高いＡＰ（‘屋外’）は、無線通信装置１００との接続が不可能であるＡＰのうち、ＡＰ（‘自宅１’）よりも優先度が低く、ＡＰ（‘自宅２’）よりも優先度が高い。つまり、変更部１０７は、選択部１０６で選択された接続先ＡＰ（‘屋外’）のプロファイルの優先度を、自装置との接続が可能なＡＰのプロファイルよりも低い優先度が設定された、自装置との接続が不可能なＡＰ（‘自宅２’）のプロファイルの優先度よりも高く変更する。
【００５７】
換言すると、接続可能なＡＰのプロファイルのうち優先度が最も高いＡＰ（優先度変更前は図８左側に示すＡＰ（‘オフィス１’）、優先度変更後は図８右側に示すＡＰ（‘屋外’））のプロファイルと、自装置との接続が不可能なＡＰ（図８左側および右側に示すＡＰ（‘自宅１’）およびＡＰ（‘自宅２’））のプロファイルとの間の優先度の関係は、優先度変更処理の前後で維持される。
【００５８】
これにより、本変更方法によれば、同一の通信環境においてＡＰを繰り返し再検索する場合（例えば、通信環境が不安定な場合）には、無線通信装置１００は、変更方法２と同様にして、選択したＡＰ（図７ではＡＰ（‘屋外’））をより高い優先順位で検索することができる。
【００５９】
また、図８左側および図８右側に示すように、無線通信装置１００と接続可能なＡＰ（接続可：‘○’）のうち選択部１０６で選択されたＡＰ（‘屋外’）のプロファイル以外のプロファイル（プロファイルＩＤ：‘オフィス１’および‘オフィス２’）と、無線通信装置１００と接続不可能なＡＰ（接続可：空白）のプロファイル（プロファイルＩＤ：‘自宅１’および‘自宅２’）との間の優先度の関係は、優先度変更処理の前後で維持されている。具体的には、優先度変更前（図８左側）では、ＡＰ（‘自宅１’）、ＡＰ（‘オフィス１’）、ＡＰ（‘自宅２’）、ＡＰ（‘オフィス２’）の順に優先度が高い。一方、優先度変更後（図８右側）でも、ＡＰ（‘自宅１’）、ＡＰ（‘オフィス１’）、ＡＰ（‘自宅２’）、ＡＰ（‘オフィス２’）の順に優先度が高い。
【００６０】
これにより、本変更方法によれば、例えば、通信環境の変化により接続が不可能であったＡＰ（図８ではＡＰ（‘自宅１’）およびＡＰ（‘自宅２’））が接続可能な状態になった場合でも、無線通信装置１００は、変更方法１と同様にして、プロファイルの優先度変更前の優先度において優先度が高かったＡＰを優先的に検索することができる。
【００６１】
また、本変更方法によれば、変更方法１と同様、無線通信装置１００は、接続先ＡＰを選択するのみで、保持部１０１が保持するプロファイルの優先度を自動的に変更することができる。
【００６２】
以上、変更部１０７におけるプロファイルの優先度変更方法１〜３について説明した。
【００６３】
このようにして、本実施の形態によれば、無線通信装置は、接続先ＡＰを選択することにより、自装置が保持するプロファイルの優先度を自動的に変更することができる。よって、本実施の形態によれば、プロファイルの優先度の変更をユーザが操作することなく行うことができる。
【００６４】
なお、変更部１０７におけるプロファイルの優先度変更方法は、優先度変更方法１〜３のうちのいずれかに予め固定しておかなければならないというものではなく、ユーザの選択に応じて優先度変更方法を切り替えるようにしてもよい。
【００６５】
また、通信部１０３がＡＰの電界強度または通信速度等の情報を通信状態として出力し、変更部１０７が通信状態に基づいて通信環境の安定度を判断して、優先度変更方法を優先度変更方法１〜３のいずれかに切り替えるようにしてもよい。
【００６６】
これにより、通信が安定している場合であっても不安定な場合であっても常にＡＰの検索時間を短縮することができる。
【００６７】
（実施の形態２）
本実施の形態では、無線通信装置は、接続先ＡＰのプロファイルの優先度を変更した後に、接続先ＡＰとの接続が切断された場合、接続先ＡＰのプロファイルの優先度を変更前の優先度に戻す。
【００６８】
以下、具体的に説明する。本実施の形態に係る無線通信装置２００の構成を図９に示す。なお、図９において、図２に示した構成部と同一の構成部については同一符号を付し説明を省略する。
【００６９】
本実施の形態に係る無線通信装置２００（図９）の計時部２０１には、自装置と接続先ＡＰとの接続状態（接続または切断）を示す接続状態通知が変更部１０７から入力される。そして、計時部２０１は、接続状態が‘切断’であることを示す接続状態通知が入力された場合、接続状態通知が入力された時刻からの経過時間を計時する。そして、計時部２０１は、予め設定された時間が経過した場合、予め設定された時間が経過したことを示す計時情報を変更部１０７に出力する。
【００７０】
変更部１０７には、接続状態通知が制御部１０２から入力される。変更部１０７は、選択部１０６で選択されたＡＰ（接続先ＡＰ）のプロファイルの優先度を実施の形態１と同様にして変更する前に、保持部１０１が保持する現在のプロファイルの優先度を保存する。そして、変更部１０７は、接続先ＡＰのプロファイルの優先度を、実施の形態１と同様にして変更する。また、変更部１０７は、接続先ＡＰのプロファイルの優先度を変更後、接続状態が‘切断’であることを示す接続状態通知が入力された場合、その接続状態通知を計時部２０１に出力する。そして、変更部１０７は、計時部２０１から計時情報が入力された場合（つまり、接続状態通知（‘切断’）が入力された時間から予め設定された時間が経過した場合）、接続先ＡＰのプロファイルの優先度を、変更前の優先度（保存していた優先度）に戻すように保持部１０１に指示する。
【００７１】
保持部１０１は、変更部１０７からの指示に従って、プロファイルの優先度を、変更前の優先度に戻す（回復する）ことにより、保持するプロファイルを更新する。
【００７２】
次に、本実施の形態に係る無線通信装置２００の変更部１０７におけるプロファイルの優先度変更（回復）処理について詳細に説明する。図１０は、本実施の形態に係る変更部１０７におけるプロファイルの優先度変更処理の流れを示し、図１１は、図１０に示すＳＴ４４におけるプロファイルの優先度回復処理のより詳細な流れを示す。なお、図１０において、図３と同一の処理には同一符号を付し説明を省略する。
【００７３】
図１０において、ＳＴ４１では、変更部１０７は、保持部１０１に保持されているプロファイルの現在の優先度を保存する。ＳＴ１４で接続先ＡＰのプロファイルの優先度を変更後、ＳＴ４２では、変更部１０７は、自装置と接続先ＡＰとの接続状態（接続または切断）を示す接続状態通知を制御部１０２から取得する。
【００７４】
ＳＴ４２で取得した接続状態通知が‘接続’を示す場合（ＳＴ４３：ＮＯ）、変更部１０７は何もせず、ＳＴ４３の判断を繰り返す。一方、ＳＴ４２で取得した接続状態通知が‘切断’を示す場合（ＳＴ４３：ＹＳＥ）、ＳＴ４４では、変更部１０７は、保持部１０１が保持するプロファイルの優先度を、ＳＴ４１で保存した優先度（変更前の優先度）に回復する。
【００７５】
次いで、図１０に示すＳＴ４４におけるＡＰの変更処理の詳細について図１１を用いて説明する。
【００７６】
ＳＴ５１では、変更部１０７は、接続状態が‘切断’であることを示す接続状態通知を計時部２０１に出力することにより、計時部２０１に対して、接続状態が‘切断’になった時刻からの経過時間の計時を開始させる。
【００７７】
接続状態が‘切断’になった時刻から予め設定された時間が経過するまでは（ＳＴ５２：ＮＯ）、変更部１０７は何もしない。一方、接続状態が‘切断’になった時間から予め設定された時間が経過した場合（ＳＴ５２：ＹＥＳ）、つまり、計時部２０１から計時情報が入力された場合、ＳＴ５３では、変更部１０７は、保持部１０１が保持するプロファイルの優先度を、図１０に示すＳＴ４１で保存した優先度に戻す。
【００７８】
例えば、無線通信装置２００があるＡＰと一時的に接続する場合、つまり、選択した接続先ＡＰのプロファイルの優先度を一時的に高くする場合について説明する。無線通信装置２００は、接続先ＡＰのプロファイルの優先度を、実施の形態１と同様にして変更しているため、接続先ＡＰとの接続が切断されても、接続先ＡＰの検索に要する時間を短縮することができる。また、無線通信装置２００は、接続先ＡＰと切断後、予め設定された時間が経過した場合、つまり、接続先ＡＰとの接続が終了したと考えられる場合には、プロファイルの優先度を変更前の状態に自動的に回復する。つまり、無線通信装置２００では、あるＡＰと一時的に接続する場合でも、操作入力によりＡＰの選択を行うのみで、プロファイルの変更およびプロファイルの回復を自動的に行うことができる。
【００７９】
また、例えば、通信環境が不安定な場合には、実施の形態１の変更方法２と本実施の形態とを組み合わせることにより、無線通信装置２００は、接続先ＡＰとの接続が切断されても、接続先ＡＰの検索に要する時間を最短に抑えることができ、かつ、接続先ＡＰとの接続が終了するとプロファイルの優先度を自動的に戻すことができる。
【００８０】
このようにして、本実施の形態によれば、無線通信装置は、実施の形態１と同様、接続先ＡＰを選択することにより、自装置が保持するプロファイルの優先度を自動的に変更することができ、かつ、切断後にはプロファイルの優先度を変更前の状態に自動的に戻すことができる。よって、本実施の形態によれば、プロファイルの優先度の変更および回復をユーザが操作することなく行うことができる。
【００８１】
なお、本実施の形態では、無線通信装置２００は、接続先ＡＰとの接続が切断された時刻から予め設定された時間が経過した際、保持部１０１が保持するプロファイルの優先度を変更前の優先度に自動的に戻す場合について説明した。しかし、本発明では、無線通信装置２００は、接続先ＡＰとの接続が切断された場合に、保持部１０１が保持するプロファイルの優先度を変更前の優先度に戻すか否かを、ユーザの操作入力により選択してもよい。具体的には、図１２に示すように、ＳＴ６１において、無線通信装置２００の変更部１０７は、保持部１０１が保持するプロファイルの優先度を、変更前の優先度に戻すか否かをユーザに問い合わせる。例えば、ユーザの操作入力により、保持部１０１が保持するプロファイルの優先度を変更前の優先度に戻す指示が有る場合（ＳＴ６２：ＹＥＳ）、変更部１０７は、ＳＴ５３において、本実施の形態と同様にして、保持部１０１が保持するプロファイルの優先度を、図１０に示すＳ４１で保存した優先度に戻す。一方、保持部１０１が保持するプロファイルの優先度を変更前の優先度に戻す指示が無い場合（ＳＴ６２：ＮＯ）、または、変更後の優先度をそのまま保存する指示がある場合、変更部１０７は、現在の優先度（変更後の優先度）を保存する。
【００８２】
（実施の形態３）
実施の形態２において、接続先ＡＰとの接続が手動により切断（手動切断）された場合、つまり、ユーザの操作入力により接続先ＡＰとの接続が切断された場合、無線通信装置は、その接続先ＡＰとの接続を再開させるためにＡＰの再検索を直ちに行う可能性は低い。これに対し、接続先ＡＰとの接続が自動で切断（自動切断）された場合、例えば、通信環境が不安定なため接続先ＡＰとの接続が切断された場合、無線通信装置は、その接続先ＡＰとの接続をすぐに再開させるためにＡＰの再検索を行う可能性は高い。
【００８３】
そこで、本実施の形態に係る無線通信装置は、接続先ＡＰとの接続の切断が手動切断の場合、手動切断すると同時に、保持部１０１が保持するプロファイルの優先度を、変更前の優先度に回復する。一方、変更部１０７は、接続先ＡＰとの接続の切断が自動切断の場合には、実施の形態２と同様にして、自動切断された時刻から予め設定された時間が経過後に、保持部１０１が保持するプロファイルの優先度を、変更前の優先度に回復する。
【００８４】
以下、具体的に説明する。本実施の形態に係る無線通信装置３００の構成を図１３に示す。なお、図１３において、図９に示した構成部と同一の構成部については同一符号を付し説明を省略する。
【００８５】
本実施の形態に係る無線通信装置３００（図１３）の切断操作入力部３０１は、自装置と接続されている接続先ＡＰに対して切断の操作入力を行う。切断操作入力部３０１は、切断の操作入力が行われた場合、接続先ＡＰとの接続を切断する指示（切断指示）を制御部１０２に出力する。なお、切断指示には、操作入力が手動（手動切断）で行われたか、自動（自動切断）で行われたかを示す情報が含まれる。
【００８６】
制御部１０２は、切断操作入力部３０１から切断指示が入力された場合、接続先ＡＰとの接続を切断するように通信部１０３に指示する。また、制御部１０２は、接続先ＡＰとの接続の切断が手動切断であるか自動切断であるかを示す情報を含む接続状態通知を変更部１０７に出力する。
【００８７】
変更部１０７は、選択部１０６で選択されたＡＰ（接続先ＡＰ）のプロファイルの優先度を実施の形態１と同様にして変更する前に、保持部１０１が保持する現在のプロファイルの優先度を保存する。また、変更部１０７は、接続先ＡＰのプロファイルの優先度を変更後、接続状態が‘手動切断’であることを示す接続状態通知が入力された場合、接続先ＡＰのプロファイルの優先度を、変更前の優先度（保存しているプロファイルの優先度）に直ちに戻す。つまり、変更部１０７は、接続先ＡＰとの接続の切断が手動切断の場合（図１４に示すＳＴ７１：ＹＥＳ）、切断と同時に、接続先ＡＰのプロファイルの優先度を変更前の優先度（保存してある優先度）に戻す。
【００８８】
一方、変更部１０７は、接続先ＡＰのプロファイルの優先度を変更後、接続状態が‘自動切断’であることを示す接続状態通知が入力された場合（図１４に示すＳＴ７１：ＮＯ）、実施の形態２（図１０）と同様にして、その接続状態通知を計時部２０１に出力する。そして、変更部１０７は、計時部２０１から計時情報が入力された場合（つまり、接続状態通知（‘自動切断’）が入力された時刻から予め設定された時間が経過した場合）、接続先ＡＰのプロファイルの優先度を、変更前の優先度に戻す。
【００８９】
例えば、無線通信装置３００があるＡＰと一時的に接続する場合、つまり、選択した接続先ＡＰのプロファイルの優先度を一時的に高くする場合について説明する。ここで、あるＡＰとの接続を終了する場合には、無線通信装置３００は、操作入力によりＡＰとの接続を切断（手動切断）すると同時にプロファイルの優先度を変更前の優先度に戻す。つまり、手動切断の場合には、無線通信装置３００は、切断されたＡＰの再検索の可能性が低いと判断してプロファイルの優先度を変更前の優先度に戻すことにより、変更前のプロファイルの優先度（つまり、通常の優先度）に基づくＡＰの検索を直ちに実行することができる。
【００９０】
このようにして、本実施の形態によれば、無線通信装置は、ＡＰとの接続の切断が手動切断であるか自動切断であるかに応じて、自装置が保持するプロファイルの優先度を回復するタイミングを制御する。これにより、手動切断の場合、つまり、ＡＰの再検索が直ちに行われる可能性が低い場合、プロファイルの優先度を本来の優先度に直ちに戻すことができ、無線通信装置は、本来の優先度（通信評価情報に基づく優先度）を用いてＡＰを検索することができる。また、自動切断の場合、つまり、予期しない切断が発生し、ＡＰの再検索が直ちに行われる可能性が高い場合、プロファイルの優先度を予め設定された時間だけ維持するため、無線通信装置は、実施の形態２と同様、ＡＰの再検索に要する時間を短縮することができる。
【００９１】
（実施の形態４）
本実施の形態では、無線通信装置は、選択したＡＰ（接続先ＡＰ）のプロファイルの優先度が変更された場合、プロファイルの優先度の変更を提示する。
【００９２】
以下、具体的に説明する。本実施の形態に係る無線通信装置４００の構成を図１５に示す。なお、図１５において、図９に示した構成部と同一の構成部については同一符号を付し説明を省略する。
【００９３】
本実施の形態に係る無線通信装置４００（図１５）の優先度変更状態提示部４０１は、変更部１０７から、選択部１０６で選択された接続先ＡＰのプロファイルの優先度を変更する指示が入力される場合、プロファイルの優先度の変更を提示する。
【００９４】
例えば、図１に示すＡＰ１〜ＡＰ４のうち、ＡＰ２（‘オフィス２’）のプロファイルの優先度が変更された場合について説明する。
【００９５】
優先度変更状態提示部４０１は、ＡＰ２（‘オフィス２’）のプロファイルの優先度を変更する指示が変更部１０７から入力されると、例えば、図１６Ａに示すように、保持部１０１が保持するすべてのプロファイルを提示する際に、優先度が変更されるＡＰ（‘オフィス２’）の書式（字体または色）を変更して提示してもよい。
【００９６】
または、図１６Ｂに示すように、優先度変更状態提示部４０１は、保持部１０１が保持するすべてのプロファイルを提示する際に、優先度が変更されるＡＰ（‘オフィス２’）のプロファイルにマーク（図１６Ｂでは星印）を付与してもよい。
【００９７】
または、図１６Ｃに示すように、優先度変更状態提示部４０１は、保持部１０１が保持するすべてのプロファイルを提示する際に、いずれかのＡＰのプロファイルの優先度が変更されていることを示すマーク（図１６Ｃでは星印）を、ピクト等で提示してもよい。
【００９８】
このように、本実施の形態によれば、無線通信装置は、あるＡＰが一時的に選択され、優先度が一時的に高くなっている状態をユーザに提示することができる。例えば、無線通信装置が、プロファイルの優先度が変更されていることを提示することにより、ユーザはプロファイルの優先度を変更前に戻すか、変更後の優先度を保存するか等の操作を容易に判断することができる。
【００９９】
以上、本発明の各実施の形態について説明した。
【０１００】
なお、上記実施の形態では、ＷＬＡＮ端末がＡＰへ接続する場合を一例として説明した。しかし、ＷＬＡＮ端末がＡＰへ接続する場合に限らず、例えば、Ｂｌｕｅｔｏｏｔｈ（登録商標）による通信が可能な端末が周辺の通信機器へ接続する場合など、ＷＬＡＮ以外の無線通信装置において本発明を実施することも可能である。
【０１０１】
また、上記実施の形態では、無線通信装置（ＷＬＡＮ端末）がＡＰのプロファイルの優先度に基づいてＡＰの検索を行う場合について説明したが、本発明では、無線通信装置は、ＡＰのプロファイルの優先度に限らず、ＡＰの電界強度、ＡＰの通信速度またはＡＰの暗号化強度等に基づいてＡＰの検索を行ってもよい。
【産業上の利用可能性】
【０１０２】
本発明は移動体通信システム等に適用することができる。
【図面の簡単な説明】
【０１０３】
【図１】本発明の各実施の形態に係る無線通信システムの構成を示す概念図
【図２】本発明の実施の形態１に係る無線通信装置の構成を示すブロック図
【図３】本発明の実施の形態１に係る優先度変更処理の流れを示す図
【図４】本発明の実施の形態１に係る優先度変更処理の詳細な流れを示す図（変更方法１）
【図５】本発明の実施の形態１に係る優先度変更処理の一例を示す図（変更方法１）
【図６】本発明の実施の形態１に係る優先度変更処理の詳細な流れを示す図（変更方法２）
【図７】本発明の実施の形態１に係る優先度変更処理の一例を示す図（変更方法２）
【図８】本発明の実施の形態１に係る優先度変更処理の一例を示す図（変更方法３）
【図９】本発明の実施の形態２に係る無線通信装置の構成を示すブロック図
【図１０】本発明の実施の形態２に係る優先度変更および回復処理の流れを示す図
【図１１】本発明の実施の形態２に係る優先度回復処理の詳細な流れを示す図
【図１２】本発明の実施の形態２に係るバリエーションを示す図
【図１３】本発明の実施の形態３に係る無線通信装置の構成を示すブロック図
【図１４】本発明の実施の形態３に係る優先度回復処理の詳細な流れを示す図
【図１５】本発明の実施の形態４に係る無線通信装置の構成を示すブロック図
【図１６Ａ】本発明の実施の形態４に係る優先度の変更の提示処理の一例を示す図
【図１６Ｂ】本発明の実施の形態４に係る優先度の変更の提示処理の一例を示す図
【図１６Ｃ】本発明の実施の形態４に係る優先度の変更の提示処理の一例を示す図
【符号の説明】
【０１０４】
１００，２００，３００，４００  無線通信装置
１０１  保持部
１０２  制御部
１０３  通信部
１０４  接続先選択部
１０５  通信情報提示部
１０６  選択部
１０７  変更部
２０１  計時部
３０１  切断操作入力部
４０１  優先度変更状態提示部
【図１】
2010192993.tif 000003
【図２】
2010192993.tif 000004
【図３】
2010192993.tif 000005
【図４】
2010192993.tif 000006
【図５】
2010192993.tif 000007
【図６】
2010192993.tif 000008
【図７】
2010192993.tif 000009
【図８】
2010192993.tif 000010
【図９】
2010192993.tif 000011
【図１０】
2010192993.tif 000012
【図１１】
2010192993.tif 000013
【図１２】
2010192993.tif 000014
【図１３】
2010192993.tif 000015
【図１４】
2010192993.tif 000016
【図１５】
2010192993.tif 000017
【図１６Ａ】
2010192993.tif 000018
【図１６Ｂ】
2010192993.tif 000019
【図１６Ｃ】
2010192993.tif 000020